(57)【要約】【課題】  プリンタエンジン間のジャム発生時や第２プリンタエンジンにおける白紙印刷頁数値入力ミスによる用紙破断のための用紙無駄、ロール紙補給装置接続時の用紙装填のオペレータ工数を削減出来る印刷装置を提供する。【解決手段】  複数の連続紙プリンタエンジンを使用して、両面印刷、スポットカラー印刷及び磁気トナー印刷を行う印刷装置を備え、複数台の連続紙プリンタエンジンを同期印刷させながら印刷可能なプリンタ制御装置であって、同期印刷している複数台のプリンタエンジンをオペレータ操作により非同期印刷に移行する手段と、第１／第２のプリンタエンジン間に設けられる第１面と第２面の展開データ物理用紙長差固定値を容易に設定する手段と、オペレータ操作により同期印刷に復帰する手段とを有し、物理用紙長差固定値の設定時に印刷用紙を破断させない手段を有することを特徴とする。【選択図】図２
2006168247.tif 000002
【特許請求の範囲】
【請求項１】
複数台の連続紙プリンタエンジンを同期印刷させながら印刷可能なプリンタ制御装置を備え、複数台のプリンタエンジンの同期印刷と非同期印刷とを切替選択可能な手段と、第１／第２のプリンタエンジン間に設けられる第１面と第２面の展開データ物理用紙長差固定値の設定手段とを有する連続紙印刷装置において、物理用紙長差固定値の設定時に印刷用紙を破断させない手段を設けたことを特徴とする連続紙印刷装置。
【請求項２】
複数台の連続紙プリンタエンジンを同期印刷させながら印刷可能なプリンタ制御装置を備え、同期印刷している複数台のプリンタエンジンを、オペレータ操作により非同期印刷に移行および復帰する手段と、第１／第２のプリンタエンジン間に設けられる第１面と第２面の展開データ物理用紙長差固定値の設定手段を有する連続紙印刷装置において、物理用紙長差固定値の設定時に印刷用紙を破断させない手段を設けたことを特徴とする連続紙印刷装置。
【請求項３】
前記連続紙印刷装置は、オペレータ操作にて任意頁数の白紙印刷（ＮＰＲＯ）動作可能な手段を備えることを特徴とする請求項１または２記載の連続紙印刷装置。
【請求項４】
前記連続紙印刷装置は、両面印刷またはスポットカラー印刷または磁気トナー印刷可能な印刷装置であることを特徴とする請求項１乃至３の何れかに記載の連続紙印刷装置。
【発明の詳細な説明】
【技術分野】
【０００１】
本発明は複数台のプリンタエンジンを連結した連続紙印刷装置に関する。
【背景技術】
【０００２】
片面印刷可能な連続紙プリンタを２台連結して両面印刷を行い、また時には２台別々のプリンタとして片面印刷可能な構成の印刷装置がある。この種の両面印刷時のプリンタ制御方法は、２台のプリンタ（制御装置が別々に存在する）が同期印刷する方式であった。同期印刷する方式の代表例として、２台のプリンタ間における連続紙の滞留量を検出するためのセンサ付き中間バッファ機構やホストシステムとの物理頁差を連絡する手段を介し、個々に制御装置を有するプリンタで同期印刷させる連続紙両面印刷装置がある（例えば、特許文献１参照。）。この連続紙両面印刷装置は、個々の制御装置等を有する為、ホストシステムから各制御装置に別々なデータを転送する複雑さや用紙装填の難しさがあった。用紙装填の安易なシステムを提供する為に、中間バッファ機構や個々の制御装置を持たず、またホストシステムに複雑な負荷を掛けない連続紙両面印刷装置が求められている。
【０００３】
【特許文献１】特開平０７−２３７３３６号公報
【発明の開示】
【発明が解決しようとする課題】
【０００４】
従来の両面印刷走行方法では、第１片面連続紙プリンタエンジンで表面印刷された用紙をターンバで表裏逆転させ、続いて連結する第２片面連続紙プリンタエンジンで裏面を印刷する必要がある為、両面印刷の表裏同期印刷は必須であった。この同期印刷において、ある両面ジョブを終了し、次のジョブを待つ状態であって、第１プリンタエンジンがあるジョブの表面群を印刷終了し、第１／第２プリンタエンジン間の距離だけ第２プリンタエンジン用描画データをメモリに格納したままの待機している状態を印刷データ待機中と呼ぶ。
【０００５】
この時に以下のような問題があった。
１．第１／第２プリンタエンジン間において用紙ジャムが発生した場合、印刷装置が記載可能な機構（センサ等）を備えておらず、次の印刷データ印刷時に装置内でジャムエラーを検出するまで検知・修正する方法がなく、無駄な用紙を消費していた。
２．オペレータが同期印刷に使用する設定値を入力する方法の為、入力した値がミスであることに気づくまで無駄な印刷が行われ、また気づいても、即座に復旧する方法が無かった。
３．ロール紙補給装置などを接続した時、物理用紙長を変えて設定するには用紙装填動作をし直す必要があった。同期印刷の為、ホストシステムからの片面印刷データを第１プリンタエンジンで印刷終了後であっても、第２プリンタエンジンまで用紙を送らないと、即時変更が出来なかった。その為、この第１／第２プリンタエンジン間の用紙が無駄になった。
４．用紙を装填する時、または同期印刷を行っている時にジャムが発生した場合、第１プリンタエンジンと第２プリンタエンジン間の物理頁長差の設定が必要となる。通常、物理頁長差の設定を短時間で行う為、第２プリンタエンジンにおいて１頁づつでなく複数頁の白紙印刷を行う。この物理頁長差を調整する時にオペレータが誤って白紙印刷頁の数値を必要以上に大きくさせてしまうと第１／第２プリンタエンジン間の用紙滞留量が無くなり、そして破断してしまう。この結果、用紙再装填に時間を費やし、用紙が無駄となった。
【０００６】
以上のことから、結果的に、オペレータは用紙の取り外しや再装填を行わなければならなかった。これらの操作は、オペレータの手作業によって行わなければならず、ジャム修復時などの工数がかかった。また、ジャムエラー発生の際、プリンタエンジン間の用紙分が無駄になり、且つ、再用紙装填操作などで更に用紙を消費する仕組みだった。
【０００７】
本発明の目的は、同期印刷しながら印刷している２台のプリンタエンジンを、オペレータの簡単な入力操作で非同期印刷にし、第１プリンタエンジン及び第２プリンタエンジンの用紙をオペレータが任意に前進または後退させ、任意の個所で用紙を接合出来るようにすることにより、プリンタエンジン間のジャム発生時や第２プリンタエンジンにおける白紙印刷頁数値入力ミスによる用紙破断のための用紙無駄、ロール紙補給装置接続時の用紙装填のオペレータ工数を削減出来る印刷装置を提供することにある。
【課題を解決するための手段】
【０００８】
上記課題を解決する為に、本発明は、複数台の連続紙プリンタエンジンを同期印刷させながら印刷可能なプリンタ制御装置を備え、複数台のプリンタエンジンの同期印刷と非同期印刷とを切替選択可能な手段と、第１／第２のプリンタエンジン間に設けられる第１面と第２面の展開データ物理用紙長差固定値の設定手段とを有する連続紙印刷装置が、物理用紙長差固定値の設定時に印刷用紙を破断させない手段を設けたことを特徴とする。
【０００９】
また、複数台の連続紙プリンタエンジンを同期印刷させながら印刷可能なプリンタ制御装置を備え、同期印刷している複数台のプリンタエンジンを、オペレータ操作により非同期印刷に移行および復帰する手段と、第１／第２のプリンタエンジン間に設けられる第１面と第２面の展開データ物理用紙長差固定値の設定手段を有する連続紙印刷装置が、物理用紙長差固定値の設定時に印刷用紙を破断させない手段を設けたことを特徴とする。
【００１０】
また、前記連続紙印刷装置がオペレータ操作にて任意頁数の白紙印刷（ＮＰＲＯ）動作可能な手段を備えることを特徴とする。
【発明の効果】
【００１１】
本発明によれば、ジャム等にて用紙切れがあった場合、非同期印刷にして、物理頁長差サブ画面６ｃ機能の任意数指定白紙印刷指示手段により、自由に第１／第２プリンタエンジンに装填された用紙の送りができ、さらには第２プリンタエンジンにて白紙印刷頁数を誤って多く設定しても発光部、反射部及び滞留検出センサを設けることで用紙破断を防ぐことが出来る。また任意の個所で用紙を接合でき、オペレータの操作性向上と無駄な用紙の排出を防止出来る。
【００１２】
また、ミシン目無しのロール紙を使用する場合は、物理頁を変えられるので、ホストシステムからの文書データで別の物理頁用紙長を要求されても、この物理頁差分値を再入力するだけでよい為、同期印刷調整を容易にできるとともに、用紙破断を防止出来るので物理長が変わっても再装填作業及び無駄な用紙をなくすことが出来る。
【発明を実施するための最良の形態】
【００１３】
以下、本発明の実施例について図面を参照して説明する。
【００１４】
図１は、本発明の両面印刷装置とその用紙走行を示す構成図である。用紙の走行経路について説明する。用紙はロール紙補給装置１ａから、電源操作ボックス１ｂの下を通り、第１プリンタエンジン１ｅに用紙を供給する。第１プリンタエンジン１ｅにおいて、制御装置１ｈが展開した第１面画像データが、現像機１ｃからトナーの付着を受けた感光ドラム１ｄにより、供給された用紙に画像が転写される。その後、トナーは定着機１ｆにて用紙に定着される。このように第１プリンタエンジン１ｅでトナーが定着された用紙を、ターンバ１ｇにて用紙走行方向を変えたり、表裏反転したりして、制御装置１ｈの下を通り第２プリンタエンジン１ｉに送る。第１プリンタエンジン１ｅと同様に第２プリンタエンジン１ｉで第２面描画データを印刷し、ロール紙巻取り装置１ｊに巻き取る。つまり、ターンバ１ｇにて用紙の表裏を変えることで両面印刷が可能となる。更に、ターンバ１ｇにて用紙の表裏を変えず、各プリンタエンジンのトナーを黒以外の色や磁気を帯びたトナーに交換することでスポットカラーや磁気トナー印刷が可能である。
【００１５】
次に、白紙印刷時における用紙破断防止の方法について図２を用いて説明する。図２は図１における用紙滞留量検出部の拡大図であり、発光部１ｋからの光信号が反射部１ｍで光信号を反射させて滞留検出センサ１ｎで光信号を検出する仕組みとなっている。具体的には第１プリンタエンジン１ｅと第２プリンタエンジン１ｉ間の物理頁長差の設定を行う時、第２プリンタエンジン１ｉで白紙印刷を行うと滞留量が十分にある時は、発光部１ｋからの光信号が用紙に遮られ、反射部１ｍで光信号を反射出来ず滞留検出センサ１ｎで光信号を検出されず白紙印刷を続けた。しかし、白紙印刷頁数を必要以上に大きく設定した場合は、白紙印刷が続くとやがて滞留量は減少し、発光部１ｋからの光信号が用紙に遮られず反射部１ｍで光信号を反射させて滞留検出センサ１ｎで光信号が検出される。この場合、用紙が破断する可能性があるため白紙印刷を停止した。
【００１６】
図２における発光部１ｋ、反射部１ｍ、滞留検出センサ１ｎの配置は一例であり、他の配置もしくは他の手段を用いても同様に実現することが可能である。
【００１７】
図３は、本発明の印刷装置を説明する為のハードウェアブロック図である。この印刷装置は、プリンタ制御装置３ｂと、操作パネル３ｃと、第１プリンタエンジン３ｄと、第２プリンタエンジン３ｅとで主要部が構成される。プリンタ制御装置３ｂは、ホストインターフェース３ｆ、ＣＰＵ３ｈ、ＲＡＭ３ｇ、操作パネルインターフェース３ｉ、磁気記憶装置３ｋ、第１プリンタエンジンインターフェース３ｍ、第２プリンタエンジンインターフェース３ｎと、これらを相互に接続するシステムバス３ｊとからなる。
【００１８】
操作パネルインターフェース３ｉには操作パネル３ｃが接続されている。各プリンタエンジンインターフェース３ｍ、３ｎには各プリンタエンジン３ｄ、３ｅが接続されている。ホストインターフェース３ｆにはホストシステム３ａが接続されている。電源投入により、磁気記憶装置３ｋより制御ブロクラムがＲＡＭ３ｇのシステムエリアに格納され、起動される。ＣＰＵ３ｈは、ＲＡＭ３ｇのシステムエリアに格納された制御プログラムに従って動作し、プリンタ装置全体を制御する。
【００１９】
図４は、プリンタ制御装置の制御プログラムの説明図である。制御プログラム群４ｃは、受信処理部４ｄ、画像描画部４ｅ、プリンタエンジン調整管理制御部４ｆ、操作パネル制御部４ｇ、磁気記憶装置制御部４ｈ、頁メモリ管理部４ｉ、第１プリンタエンジン制御部４ｊ、第２プリンタエンジン制御部４ｋなどからなる。ホストシステム４ａから送られてくる文書データは受信処理部４ｄで処理し、磁気記憶装置制御部４ｈに渡し、磁気ディスクに保管する。画像描画部４ｅは磁気ディスク上の文書データを描画データに展開し、頁メモリ管理部４ｉに送信する。頁メモリ管理部４ｉは文書データの描画データをメモリ上に配置管理する。この時、操作パネルからのオペレータ入力及び表示４ｂの指示により、操作パネル制御部４ｇでＲＥＡＤＹキー７ｍ（図７参照）押下を処理し印刷開始を指示されたら、プリンタエンジン調整管理制御部４ｆがメモリ上の描画データアドレスを引数にして各プリンタエンジン制御部４ｊ、４ｋに起動を掛ける。
【００２０】
第１プリンタエンジン制御部４ｊはプリンタエンジン調整管理制御部４ｆが示す描画データアドレスをもとにメモリから描画データを取り出し、第１プリンタエンジンで転写する。第２プリンタエンジン制御部４ｋも同様にプリンタエンジン調整管理制御部４ｆが示す描画データアドレスをもとにメモリから描画データを取り出し、第２プリンタエンジンで転写する。プリンタエンジンでエラーが発生した場合は、プリンタエンジン調整管理制御部４ｆ及び操作パネル制御部４ｇを介して、操作パネル３ｃにエラーを表示する。
【００２１】
図５は、用紙装填機能の説明図である。ここでは、印字サンプルとして通し番号を印刷した例について説明する。この用紙装填機能は、予めオペレータ操作により入力された物理頁サイズに基づいて、オペレータの用紙装填を支援する機能である。また、プリンタ制御装置３ｂが第１プリンタエンジンと第２プリンタエンジンの同期印刷に使用する物理頁差分値を入手する手段でもある。オペレータがこの用紙装填機能をオペレータ操作パネル３ｃから選択し、Ｍ枚の物理頁印刷を指示する。プリンタ制御装置３ｂは第１プリンタエンジン感光ドラム５ａにて、１から始まる通し番号（１、２、・・、Ｎ、・・、Ｍ−１、Ｍ）を印刷し、物理頁サイズで紙送りする。その後、オペレータがターンバ５ｂを経由して第２プリンタエンジンに用紙を装填する。必要な場合は後処理機まで用紙を連続して装填する。この時、ターンバ５ｃにて用紙の表裏を反転する様に用紙装填すると、両面印刷を行うことになる。また、用紙の表裏を変えなければ、同用紙の片面のみに２重印刷するスポットカラーや磁気トナー印刷が可能である。ここでは用紙の表裏を変えた場合で説明するが、表裏を変えない場合も同様に実現することが出来る。
【００２２】
用紙装填後、オペレータは第２プリンタエンジン感光ドラム５ｄ直前の第１面の通し番号Ｎを目視し、操作パネルよりこの番号を入力する。プリンタ印刷装置はＭ−Ｎ＋１値を第１プリンタエンジン用画面データと第２プリンタエンジン用画面データの物理頁差分値（Ｌ＝Ｍ−Ｎ＋１）５ｆとして格納する。構造的に、Ｎ＋１通し番号を目視することは出来ないので、目視出来るＮの通し番号をオペレータに入力させ、差分の１を加算している。この物理頁差分値Ｌ（５ｆ）は結果的にオペレータによる目視入力よりなっている。なお、第２プリンタエンジン感光ドラム５ｄ直前に、差分を検知するようセンサを設けてその値を元に設定してもよい。同期印刷では、この物理頁差分値Ｌ（５ｆ）を維持するように第１プリンタエンジンと第２プリンタエンジンの同期を取りながら印刷する。別々の片面用プリンタエンジンを連続して接続したプリンタシステムを提供するには、同期印刷は必要な制御である。
【００２３】
図６に、ＲＡＭ３ｇに格納されている描画展開後の頁メモリの配置６ｂ、各ポインタ６ｃ及び各プリンタエンジンの転写ポインタ位置とメモリ開放６ｄの関連を示す。
【００２４】
本図により、頁メモリ６ｂを使用した画像描画部４ｅ、頁メモリ管理部４ｉ、プリンタエンジン調整管理制御部４ｆ、各プリンタエンジン制御部４ｊ、４ｋの動作と同期印刷及びメモリ開放について説明する。
【００２５】
画像描画部４ｅはプリンタエンジンへの転写に先行して、ホストシステムからの文書データを頁メモリ６ｂに画像描画データとして展開し、格納して行く。
【００２６】
この時の次に描画するメモリアドレスを描画データ展開点と称す。描画データ展開点の時間経過６ａと頁メモリの配置６ｂと各ポインタ６ｃと各プリンタエンジンの転写ポインタ位置とメモリ開放６ｄを示す。画像描画部４ｅが文書データＸ頁分の画像描画データを頁メモリ６ｂに格納している。この時、描画データ展開点６ａがＡからＥまで変化していく。
（描画データＡの場合）
画像描画部４ｅがホストシステムから受信した最初の文書データを描画展開開始し、第１物理頁分が展開終了した時点である。頁メモリ管理部４ｉが描画データアドレスの先頭にポインタ値６ｃ（１から始まる通し番号Ｙと両面印刷を示すフラグ（０、１））をセットする。頁メモリ管理部４ｉはポインタ設定後プリンタエンジン調整管理制御部４ｆに通知する。プリンタエンジン調整管理制御部４ｆはポインタ値（通し番号とフラグ）６ｃを判断して、第１プリンタエンジン制御部４ｊにメモリアドレスを引数にして起動を掛ける。第１プリンタエンジン制御部４ｊは頁メモリ６ｂから描画データを引き出し、第１プリンタエンジンで印刷させる。また、プリンタエンジン調整管理制御部４ｆは第２プリンタエンジン制御部４ｋにも引数無しで同時に起動を掛ける。第２プリンタエンジン制御部４ｋは引数無しの場合、白紙１頁印刷するように予め取り決めてあり、白紙印刷する。続けてプリンタエンジン調整管理制御部４ｆはポインタの更新時まで待機する。更に、この時、各プリンタエンジン制御部４ｊ、４ｋはプリンタエンジンのエラーを監視する。これらにより、第１プリンタエンジンと第２プリンタエンジンの間にセンサを有した中間バッファ機構を持たない構成とした。
（描画データ展開点Ｂの場合）
画像描画部４ｅが画像描画データ処理を続け、ポインタ値６ｃが物理頁長差分値Ｌの２倍になる前の時点である。プリンタエンジン調整管理制御部４ｆはフラグを判断し、両面印刷（フラグ＝１）の時、第１プリンタエンジン制御部４ｊは奇数ポインタの示すメモリアドレスを処理し、第２プリンタエンジン制御部４ｋは白紙印刷を続ける。
（描画データ展開点Ｃの場合）
ポインタ値６ｃが物理頁長差分値Ｌの２倍を超えて画像描画データ処理が進んだ時点である。この時、プリンタエンジン調整管理制御部４ｆはフラグを判断し、第１プリンタエンジン制御部４ｊはそのまま奇数ポインタを示すメモリアドレスを順次処理し続け、ここで始めて第２プリンタエンジン制御部４ｋが偶数ポインタの示すメモリアドレスを処理し始める。
（描画データ展開点Ｄの場合）
印刷データ頁数Ｘが物理頁長差分値Ｌの２倍を超えないで終了した時、つまり、ある印刷ジョブの頁枚数が少ない場合に起きるホストシステムからの印刷データ待機を示す。この状態は第２プリンタでの裏面が描画されないで残った状態である。
（描画データ展開点Ｅの場合）
次の印刷ジョブの印刷データを処理する場合である。第１面と第２面の表裏位置を及びメモリ開放の為に、ポインタは連続した値にする必要がある。直前の印刷ジョブ頁数が奇数で終わる場合は、画像描画部４ｅが白紙描画データを挿入し、偶数ポインタで終了するようにした。これにより、次の印刷ジョブの第１頁が必ず表面から描画可能となる。
【００２７】
一方、リカバリの為に、描画データ頁数Ｘが物理長差分値Ｌの２倍と第２プリンタエンジンの感光ドラムから定着機までの物理長を加算した値より超える場合に、プリンタエンジン調整管理制御部４ｆは頁メモリ管理部４ｉに対して第２プリンタエンジンで印刷保証済みのポインタを通知し、このポインタをもとに頁メモリ管理部４ｉは頁メモリを開放する。結果的に図６のようなリング形状のメモリ管理としてある。
【００２８】
また、印刷データ待機中に各プリンタエンジンの印刷位置微調整用ＦＦ（Ｆｏｒｍ  Ｆｅｅｄ）キー（図示せず）などを押下した場合、表裏位置ズレが発生する。１頁毎の各プリンタエンジン制御部４ｊ、４ｋ起動時に、これらをエンジンエラーとして常に監視するようにした。
【００２９】
図７は、メイン画面７ａと物理頁長差調整サブ画面７ｃ（Ｄｅｌｔａ  Ｓｅｔ）を説明する為の図である。ここでは、メイン画面７ａ、メイン画面７ａからの選択するペーパーロード（Ｐａｐｅｒ  Ｌｏａｄ）項目７ｂ、ペーパーロード項目７ｂから選択された物理頁長差調整サブ画面７ｃを用いて、オペレータの入力方法及び同期／非同期移行動作を説明する。
【００３０】
メイン画面７ａは、ＲＥＡＤＹキー７ｍを押下すると、受信した印刷データの印刷を開始する。ＳＴＯＰキー７ｎを押下すると、印刷中のプリンタエンジンを停止する。ＣＨＥＣＫキー７ｑは、エラー発生時にリセット処理を行う。具体的には第１プリンタエンジン１ｅまたは第２プリンタエンジン１ｉをリセットする。
【００３１】
非同期印刷中は、メイン画面７ａの左右下部にあるＳＴＯＰキー７ｎ、ＮＰＲＯキー７ｐ、ＣＨＥＣＫキー７ｑは各々第１プリンタエンジン１ｅ及び第２プリンタエンジン１ｉを個別に制御出来るようにした。
【００３２】
同期印刷時は、第１／第２プリンタエンジンの区別がなく、ＳＴＯＰキー７ｎ、ＮＰＲＯキー７ｐ、ＣＨＥＣＫキー７ｑは２台のプリンタエンジンを一体と見なし、左右どちらを押下しても同じ動作をする。この同期印刷の時、ＮＰＲＯキー７ｐを押下すると、第１プリンタエンジン１ｅは物理頁長差分値Ｌと感光ドラム１ｄから定着機１ｆまでの固定長を加算した頁分を白紙印刷し、同期して第２プリンタエンジン１ｉは物理頁長差分値Ｌだけの裏面データを印刷した後、感光ドラム１ｄから定着機１ｆまでの白紙頁を印刷する。
【００３３】
本発明では、２台のプリンタエンジンの印刷動作を非同期にする為、同期印刷中にＳＴＯＰキー７ｎを押下した時、メイン画面７ａのタスクバーのペーパーロード設定項目７ｂを選択出来ようにした。具体的には、物理長差分調整サブ画面７ｃを選択した時に、非同期印刷に移行し、物理頁差調整サブ画面７ｃが表示されるようにした。
【００３４】
物理頁長差調整サブ画面７ｃは、物理頁長差分値Ｌを直接入力、または現在の物理頁長差分値Ｌを表示する物理頁長差分値Ｌ表示入力エリア７ｆ（英語用画面ではＤｅｌｔａ  Ｐａｇｅｓと表示）と、第１プリンタエンジン１ｅの白紙印刷枚数設定値エリア７ｅと第１プリンタエンジンの白紙印刷開始／停止キー７ｄ（英語用画面では「ＮｐｒｏＥＵ１」または「ＳｔｏｐＥＵ１」を表示）と、第２プリンタエンジン１ｉの白紙印刷枚数設定値エリア７ｈと、第２プリンタエンジン１ｉの白紙印刷開始・停止キー７ｇ（英語用画面では「ＮｐｒｏＥＵ２」または「ＳｔｏｐＥＵ２」を表示）を設けた。
【００３５】
これらの白紙印刷開始・停止キー（７ｄ、７ｇ）は、各々のプリンタエンジンがＮｐｒｏ動作中はＳｔｏｐＥＵ１（第１プリンタエンジン１ｅ用）とＳｔｏｐＥＵ２（第２プリンタエンジン１ｉ用）を表示し、Ｓｔｏｐ状態ではＮｐｒｏＥＵ１（第１プリンタエンジン１ｅ用）とＮｐｒｏＥＵ２（第２プリンタエンジン１ｉ用）を表示する。また、物理頁長差値Ｌをカウンタに保管指示する為のＯＫキー７ｉと、保管指示をキャンセルする為のキャンセルキー７ｋと、白紙印刷動作時のプリンタエンジンエラーをリセット指示する為のＣｈｅｃｋキー７ｊを合わせて設けた。
【００３６】
図８は、操作バネル制御部４ｇの物理頁長差調整サブ画面７ｃを制御するフロー図である。印刷待機中の用紙ジャムが発生し、オペレータ自らが行う動作を踏まえて操作方法を説明する。このサブ画面制御フローは、操作パネル制御部４ｇに組み込まれ、プリンタ印刷装置３ｂの処理の信頼性を増す為、ＳＴＯＰ状態のみしか稼動しないように条件を付けている。この条件において、オペレータがタスクバーのペーパーロード項目７ｂを選択出来る。このペーパーロード項目７ｂに、物理頁長差調整サブ画面選択項目（図示せず）がある。この物理頁長差調整サブ画面７ｃを選択されると、非同期印刷への移行処理ルーチンが実行出来るようになっている。
【００３７】
印刷データ待機中に用紙ジャムが発生した時、プリンタエンジン間の用紙滞留量をオペレータが見て差分値の入力ミスが判った時、更にロール紙を使用していて片面印刷終了時に物理頁長を変えなければならない時に、オペレータ自らまずこの物理頁長差調整サブ画面選択項目を選択する（Ｓ１）。印刷装置はこの動作を選択されると、エラー修復後の再印刷用に各ポインタ等を格納する（Ｓ２）。続けて物理頁長差調整サブ画面７ｃを表示する（Ｓ３）。
【００３８】
オペレータはジャム時に破断した用紙を取り除き、取り除いた分の物理頁枚数を第１プリンタエンジン１ｅの白紙印刷枚数設定値エリア７ｅに入力し、第１プリンタエンジン１ｅの白紙印刷開始／停止キー７ｄを押下して（Ｓ４）、その頁分の数の白紙印刷制御を行う（Ｓ５）。この時、オペレータは破断した用紙を整形し、テープなどで張り合わせる。その後、用紙の滞留量が十分あるか確認し、滞留量が多すぎた場合は第２プリンタエンジ１ｉの白紙印刷枚数設定値エリア７ｈに入力し、第２プリンタエンジン１ｉの白紙印刷開始／停止キー７ｇを押下して（Ｓ６）、白紙印刷調整する（Ｓ７）。この時、第２プリンタエンジン１ｉの白紙印刷枚数設定値エリア７ｈに誤って必要以上に大きな数値を入力した場合、滞留量が減少して用紙が破断してしまう可能性がある。そのため、この現象を防ぐために、発光部１ｋからの光信号が用紙に遮られず反射部１ｍで光信号を反射させて滞留検出センサ１ｎで光信号を検出すると、第２プリンタエンジン１ｉでの白紙印刷を停止した（Ｓ８）。これにより、物理頁長調整時に第２プリンタエンジン１ｉの白紙印刷頁数を誤って多く入力しても用紙破断を防止した。ロール紙を使用したり、単なる入力ミスなどは物理頁長差分値を物理頁長差分値表示入力エリア７ｆに直接入力する（Ｓ９）。各カウンタ及びポインタを算出しメモリエリアに格納する（Ｓ１０）。物理頁長差分値の入力に失敗しても再入力出来るが、初期値戻せるようにＣａｎｃｅｌキー７ｋを設けている（Ｓ１１）。
【００３９】
最後に、用紙滞留量や物理頁差分値が正しければＯＫキー７ｉを押下することにより（Ｓ１２）、初期値のカウンタ等を破棄して新しいポインタやカウンタを保管して（Ｓ１３）、同期印刷に移行する（Ｓ１４）。物理頁長差調整サブ画面を終了してメイン画面に戻る（Ｓ１５）。
【図面の簡単な説明】
【００４０】
【図１】本発明の機能を示す両面印刷装置と用紙走行の説明図
【図２】図１における用紙滞留量検出部の拡大図。
【図３】本発明の一実施例を示すハードウェアブロック説明図。
【図４】本説明の一実施例を示す制御プログラムブロック説明図。
【図５】本発明の一実施例を示す用紙装填説明図。
【図６】本発明の一実施例を示す同期印刷原理の説明図。
【図７】本発明の一実施例を示す操作パネルの説明図。
【図８】本発明の一実施例を示す制御フロー概念図。
【符号の説明】
【００４１】
１ａ  …  ロール紙給紙装置
１ｂ  …  電源操作ボックス
１ｃ  …  第１プリンタエンジンの現像機
１ｄ  …  第１プリンタエンジンの感光ドラム
１ｅ  …  第１プリンタエンジン
１ｆ  …  第１プリンタエンジンの定着機
１ｇ  …  ターンバ
１ｈ  …  制御装置と操作パネル
１ｉ  …  第２プリンタエンジン
１ｊ  …  ロール紙巻取り装置
１ｋ  …  発光部
１ｍ  …  反射部
１ｎ  …  滞留検出センサ
３ａ  …  ホストシステム
３ｂ  …  プリンタ印刷制御装置
３ｃ  …  操作パネル
３ｄ  …  第１プリンタエンジン
３ｅ  …  第２プリンタエンジン
３ｆ  …  ホストインターフェース
３ｇ  …  ＲＡＭ
３ｈ  …  ＣＰＵ
３ｉ  …  操作パネルインターフェース
３ｊ  …  システムバス
３ｋ  …  磁気記憶装置
３ｍ  …  第１プリンタエンジンインターフェース
３ｎ  …  第２プリンタエンジンインターフェース
４ａ  …  ホストシステム
４ｂ  …  オペレータ入力及び表示
４ｃ  …  制御プログラム群
４ｄ  …  受信処理部
４ｅ  …  画像描画部
４ｆ  …  プリンタエンジン調整管理制御部
４ｇ  …  操作パネル制御部
４ｈ  …  磁気記憶装置制御部
４ｉ  …  メモリ管理部
４ｊ  …  第１プリンタエンジン制御部
４ｋ  …  第２プリンタエンジン制御部
５ａ  …  第１プリンタエンジンの感光ドラム
５ｂ  …  第１プリンタエンジンの定着機
５ｃ  …  ターンバ
５ｄ  …  第２プリンタエンジンの感光ドラム
５ｅ  …  第２プリンタエンジンの定着機
６ａ  …  描画データ展開の時間経過
６ｂ  …  頁メモリの配置
６ｃ  …  ポインタ
６ｄ  …  各プリンタエンジンの転写ポインタ位置とメモリ開放
７ａ  …  メイン画面
７ｂ  …  ペーパーロード項目
７ｃ  …  物理頁長差調整サブ画面
７ｄ  …  第１プリンタエンジン白紙印刷開始・停止キー
７ｅ  …  第１プリンタエンジン白紙枚数入力エリア
７ｆ  …  物理頁長差分値Ｌ表示入力エリア
７ｇ  …  第２プリンタエンジン白紙印刷開始・停止キー
７ｈ  …  第２プリンタエンジン白紙枚数入力エリア
７ｉ  …  Ｏｋキー
７ｊ  …  Ｃｈｅｃｋキー
７ｋ  …  Ｃａｎｃｅｌキー
７ｍ  …  ＲＥＡＤＹキー
７ｎ  …  Ｓｔｏｐキー
７ｐ  …  ＮＰＲＯキー
７ｑ  …  ＣＨＥＣＫキー
【図１】
2006168247.tif 000003
【図２】
2006168247.tif 000004
【図３】
2006168247.tif 000005
【図４】
2006168247.tif 000006
【図５】
2006168247.tif 000007
【図６】
2006168247.tif 000008
【図７】
2006168247.tif 000009
【図８】
2006168247.tif 000010